(57)【特許請求の範囲】
【請求項１】
外部音を検出するマイクロホンを一端に取り付けるマイクロホン保持部材と、このマイクロホン保持部材の他端を回動自在に取り付ける基台と、前記マイクロホン保持部材を起立状態に保持するロック部材と、前記マイクロホン保持部材の回動角度を２段階で規制するストッパ部材からなることを特徴とする音検出装置。
【請求項２】
前記ストッパ部材は、前記マイクロホン保持部材の起立状態からの傾斜角度を任意に設定可能な第１ストッパと、この第１ストッパを解除しても前記マイクロホン保持部材の傾斜角度を所定角度で規制する第２ストッパからなる請求項１記載の音検出装置。
【請求項３】
前記マイクロホン保持部材は、前記マイクロホンを取り付ける丸パイプと、前記基台に回動自在に取り付ける角パイプからなり、前記丸パイプを前記角パイプに摺動自在に嵌装させ、固定部材により前記丸パイプを所望な状態で固定する請求項１又は２記載の音検出装置。
【請求項４】
請求項１、２又は３記載の音検出装置を備え、この音検出装置により外部音を検出することを特徴とする騒音計。
【発明の詳細な説明】
【０００１】
【発明の属する技術分野】
本発明は、容易にマイクロホンなどの保守点検が行える音検出装置及びこれを用いた騒音計に関する。
【０００２】
【従来の技術】
従来、騒音計に使用する音検出装置としては、屋上などの測定対象となる地点にコンクリート製の基礎を設け、この基礎にマイクロホンを取り付けた棒状のマイクロホン保持部材（例えば、長さが４〜５ｍ）を立設したものが知られている。
【０００３】
【発明が解決しようとする課題】
しかし、従来の音検出装置においては、基礎から４〜５ｍの高さにマイクロホンが設置されるため、このマイクロホンを点検する必要がある場合には、脚立等を用意しなければならない。
従って、脚立を使用する場合には、脚立を支える作業員も必要となり、保守点検が煩雑になると共に、コスト高になるという問題があった。
【０００４】
本発明は、従来の技術が有するこのような問題点に鑑みてなされたものであり、その目的とするところは、マイクロホンなどの保守点検が容易に行え、使い勝手のよい音検出装置及びこれを用いた騒音計を提供しようとするものである。
【０００５】
【課題を解決するための手段】
上記課題を解決すべく請求項１に係る発明は、外部音を検出するマイクロホンを一端に取り付けるマイクロホン保持部材と、このマイクロホン保持部材の他端を回動自在に取り付ける基台と、前記マイクロホン保持部材を起立状態に保持するロック部材と、前記マイクロホン保持部材の回動角度を２段階で規制するストッパ部材からなるものである。
【０００６】
請求項２に係る発明は、請求項１記載の音検出装置において、前記ストッパ部材は、前記マイクロホン保持部材の起立状態からの傾斜角度を任意に設定可能な第１ストッパと、この第１ストッパを解除しても前記マイクロホン保持部材の傾斜角度を所定角度で規制する第２ストッパからなるものである。
【０００７】
請求項３に係る発明は、請求項１又は２記載の音検出装置において、前記マイクロホン保持部材は、前記マイクロホンを取り付ける丸パイプと、前記基台に回動自在に取り付ける角パイプからなり、前記丸パイプを前記角パイプに摺動自在に嵌装させ、固定部材により前記丸パイプを所望な状態で固定するものである。
【０００８】
請求項４に係る発明は、請求項１、２又は３記載の音検出装置を備え、この音検出装置により外部音を検出するものである。
【０００９】
【発明の実施の形態】
以下に本発明の実施の形態を添付図面に基づいて説明する。ここで、図１は本発明に係る音検出装置の正面図、図２は同じく要部分解斜視図、図３は同じく要部断面図、図４は図３のＡ−Ａ線断面図である。
【００１０】
本発明に係る音検出装置は、図１に示すように、略角錐形状の基台１と、棒状のマイクロホン保持部材２と、マイクロホン保持部材２の下端部を支点として基台１に対しマイクロホン保持部材２を回動自在に支持する支持部材３、マイクロホン保持部材２を起立状態に保持するロック部材４と、マイクロホン保持部材２の回動角度（傾斜角度）を２段階（例えば、約２０度と約９０度）に規制するストッパ部材５と、マイクロホン保持部材２の先端に取り付けたマイクロホン６などからなる。
【００１１】
基台１は、図２に示すように、４本の脚部１１と、これらの脚部１１同士を連結して剛性を維持する連結部材１２と、各脚部１１の上端部を固定するために頂部に配設した天板部材１３などを備えてなる。なお、各脚部１１の下端部には、アンカーねじ孔を形成した取付部材１４が固着され、これらの取付部材１４を介して固定ブロック１５が設けられている。
【００１２】
マイクロホン保持部材２は、マイクロホン６を取り付ける丸パイプ２１と、基台１の支持部材３に取り付ける角パイプ２２からなる。そして、丸パイプ２１を角パイプ２２内に所定の長さ摺動自在に嵌装させ、角パイプ２２に形成したねじ孔とそのに螺合するねじからなる複数の固定部材２３により、丸パイプ２１を所望な状態で角パイプ２２に固定している。
【００１３】
ここで、所望な状態とは、丸パイプ２１を角パイプ２２からある長さ突出させたマイクロホン６の所望な高さをいい、また丸パイプ２１を角パイプ２２内で回動させたマイクロホン６の所望な向きをいう。但し、指向性のあるマイクロホン、または複数個のマイクロホンをマイクロホン保持部材２に取り付けて使用した場合である。
【００１４】
支持部材３は、図３又は図４に示すように、回動するマイクロホン保持部材２に対して直交するように脚部１１間に固設した一対の横設部材３１，３２と、これらの横設部材３１，３２に直交すると共に、角パイプ２２を挟むように横設部材３１，３２に架設した一対の架設部材３３，３４と、これらの架設部材３３，３４に角パイプ２２を回動自在に取り付けるボルト３５とナット３６から構成される。ナット３６は、一方の架設部材３３に溶着されている。なお、一対の架設部材３３，３４と角パイプ２２には、ボルト３５を嵌挿する貫通孔が形成されている。
【００１５】
ロック部材４は、図２に示すように、天板部材１３と、押え部材４１と、天板部材１３に押え部材４１を固定する２本のねじ４２で構成される。そして、コの字状に形成された天板部材１３の切り欠き部１３ａに角パイプ２２の外周面を当接し、押え部材４１を角パイプ２２の外周面に押し当て、更に２本のねじ４２で押え部材４１を天板部材１３に固定することにより、マイクロホン保持部材２を起立状態に保持する。なお、天板部材１３には、基台１をより強固に設置するために４方向に固定用ワイヤを張るフック１３ｂが４つ設けてある。
【００１６】
ストッパ部材５は、図２又は図３に示すように、マイクロホン保持部材２を起立状態からの傾斜角度を約２０度にするための第１ストッパ５ａと、マイクロホン保持部材２を起立状態からの傾斜角度を約９０度にするための第２ストッパ５ｂからなる。
【００１７】
第１ストッパ５ａは、所定の長さの鎖５１と、鎖５１の両端に設けたフック５１ａ，５１ｂと、一方のフック５１ａを引っ掛けるための天板部材１３に設けた取付孔（不図示）と、他方のフック５１ｂを引っ掛けるための角パイプ２２に固着した半輪状の金属部材５２から構成される。なお、第１ストッパ５ａによる傾斜角度は、鎖５１の長さと、一方のフック５１ａを引っ掛ける取付孔の位置、他方のフック５１ｂを引っ掛ける金属部材５２の取付位置などにより、任意に設定することが可能である。
【００１８】
第２ストッパ５ｂは、マイクロホン保持部材２を起立状態からの傾斜角度を約９０度にした状態で角パイプ２２と直交して当接する位置に配設される、上記した横設部材３１によって構成される。
【００１９】
マイクロホン６は、図１に示すように、マイクロホン保持部材２の先端に１個取り付けてもよいし、複数個取り付けてもよい。なお、図１に示すマイクロホン６は、球状防風部材の中空部に配置した状態を表している。
【００２０】
本発明に係る騒音計は、図１に示す音検出装置と、この音検出装置のマイクロホン６に電気的に接続された騒音計本体（不図示）とからなる。騒音計本体は、外部音に応じたマイクロホン６の出力を信号処理して騒音レベルを表示するもので、信号処理のための信号処理部と信号処理部の出力を表示するための表示部を備えている。
【００２１】
以上のように構成した本発明に係る音検出装置及びこれを用いた騒音計の作用について説明する。
騒音を測定する場所、例えば屋上に本発明に係る音検出装置を、ロック部材４によりマイクロホン保持部材２が起立状態になるよう設置する。この状態では、フック５１ａ，５１ｂをそれぞれ天板部材１３の取付孔と角パイプ２２の金属部材５２に引っ掛けておく。また、より強固に音検出装置を設置するには、フック１３ｂを利用して４方向に固定用ワイヤを張ればよい。
【００２２】
そして、マイクロホン６を点検する必要がある場合には、先ずロック部材４を解除するため、天板部材１３に押え部材４１を固定しているねじ４２を弛め、マイクロホン保持部材２に手を添えてマイクロホン保持部材２を支えながら押え部材４１を外す。
【００２３】
この時、手でマイクロホン保持部材２を支えていない、または支えきれない場合であっても、支持部材３によってマイクロホン保持部材２は回動するものの、鎖５１とフック５１ａ，５１ｂなどからなる第１ストッパ５ａにより、マイクロホン保持部材２は起立状態からの傾斜角度を約２０度にした状態で、その姿勢を維持することができる。
【００２４】
次いで、手でマイクロホン保持部材２を支えながら、一方のフック５１ａを天板部材１３に形成した取付孔から外すか、または他方のフック５１ｂを角パイプ２２の金属部材５２から外すかして第１ストッパ５ａを解除すると、マイクロホン保持部材２は第２ストッパ５ｂの横設部材３１に当接するまで、支持部材３によって回動する。
【００２５】
すると、マイクロホン保持部材２は起立状態からの傾斜角度を約９０度にした状態になるため、マイクロホン保持部材２の先端に取り付けてあるマイクロホン６は、作業者の手許に位置することになり、マイクロホン６の保守点検が容易に行える。
【００２６】
なお、上述の実施の形態においては、本発明に係る音検出装置を騒音計に適用した場合について説明したが、その他の音響機器、例えば、音の周波数スペクトルを分析する周波数分析器等にも適用できることは言うまでもない。
【００２７】
【発明の効果】
以上説明したように請求項１に係る音検出装置によれば、マイクロホン保持部材の先端に取り付けてあるマイクロホンを、容易且つ円滑に、作業者の手許に位置させることができるので、マイクロホンの保守点検が容易に行える。
【００２８】
請求項２に係る音検出装置によれば、ロック部材を解除した後に、手でマイクロホン保持部材を支えていない、または支えきれない場合であっても、第１ストッパにより、マイクロホン保持部材は起立状態から所定の傾斜角度で、その姿勢を維持することができる。
更に、第１ストッパを解除すると、第２ストッパにより、マイクロホンを作業者の手許に位置させることができるので、マイクロホンの保守点検が容易に行える。
【００２９】
請求項３に係る音検出装置によれば、マイクロホンの設置高さ及び向きを容易に設定することができる。
【００３０】
請求項４に係る騒音計によれば、マイクロホン保持部材の先端に取り付けてあるマイクロホンを容易、且つ円滑に作業者の手許に位置させることができるので、マイクロホンの保守点検が必要な時期に迅速に行え、騒音を高精度に測定することができる。
【図面の簡単な説明】
【図１】本発明に係る音検出装置の正面図
【図２】本発明に係る音検出装置の要部分解斜視図
【図３】本発明に係る音検出装置の要部断面図
【図４】図３のＡ−Ａ線断面図
【符号の説明】
１…基台、２…マイクロホン保持部材、３…支持部材、４…ロック部材、５…ストッパ部材、５ａ…第１ストッパ、５ｂ…第２ストッパ、６…マイクロホン、１３…天板部材、２１…丸パイプ、２２…角パイプ、２３…固定部材、３１…横設部材、４１…押え部材、４２…ねじ、５１…鎖、５１ａ，５１ｂ…フック、５２…金属部材。
【図１】
0003554512.tif 000002
【図２】
0003554512.tif 000003
【図３】
0003554512.tif 000004
【図４】
0003554512.tif 000005